(57)【特許請求の範囲】
【請求項１】
第１の通信網で通信する外部装置を遠隔操作する遠隔操作手段と、
前記外部装置の通信手段を遠隔操作し、前記外部装置を経由して通信する第１の通信手段と、
前記遠隔操作手段が前記外部装置を遠隔操作中、前記外部装置を経由せずに、第２の通信網で通信する第２の通信手段と、
前記第１の通信手段及び前記第２の通信手段が取得した通信データを、通信装置側ディスプレイに表示する出力手段と、を有し、
前記出力手段は、前記第１の通信手段が取得した前記通信データと、前記第２の通信手段が取得した前記通信データとを、前記通信装置側ディスプレイ内の互いに異なるエリアに表示する通信装置。
【請求項２】
請求項１に記載の通信装置において、
前記外部装置は、前記第１の通信網での通信状況を示すアイコンを含む画面を外部装置側ディスプレイに表示するよう構成され、
前記出力手段は、
前記遠隔操作手段が前記外部装置を遠隔操作中、前記外部装置側ディスプレイに表示されるべき前記画面を前記外部装置から取得して、前記通信装置側ディスプレイに表示し、
前記外部装置側ディスプレイに前記通信データを表示している間、前記アイコンの表示内容を、前記通信データを取得した通信手段を識別する内容にする通信装置。
【請求項３】
請求項２に記載の通信装置において、
前記出力手段は、前記遠隔操作手段が前記外部装置を遠隔操作中であって、前記外部装置側ディスプレイに前記通信データを表示していない間は、前記アイコンの表示内容を、前記第１及び第２の通信手段を識別する内容と異なる内容にする通信装置。
【請求項４】
請求項１から３のいずれか１項に記載の通信装置において、
前記通信データを取得する指示入力を受付ける受付手段と、
前記受付手段が受付けた前記通信データの属性を判断するデータ属性判断手段と、
前記データ属性判断手段の判断結果に応じて、前記第１の通信手段および前記第２の通信手段のいずれかを選択し、選択した通信手段を制御して前記通信データを取得させる通信制御手段と、
をさらに有する通信装置。
【請求項５】
第１の通信網で通信する外部装置を遠隔操作する遠隔操作手段と、
前記外部装置の通信手段を遠隔操作し、前記外部装置を経由して通信する第１の通信手段と、
前記遠隔操作手段が前記外部装置を遠隔操作中、前記外部装置を経由せずに、第２の通信網で通信する第２の通信手段と、
前記通信データを取得する指示入力を受付ける受付手段と、
前記受付手段が受付けた前記通信データの属性を判断するデータ属性判断手段と、
前記データ属性判断手段の判断結果に応じて、前記第１の通信手段および前記第２の通信手段のいずれかを選択し、選択した通信手段を制御して前記通信データを取得させる通信制御手段と、
前記第１の通信手段及び前記第２の通信手段が取得した前記通信データを、通信装置側ディスプレイに表示する出力手段と、を有し、
前記出力手段は、前記第１の通信手段が取得した前記通信データと、前記第２の通信手段が取得した前記通信データとを、前記通信装置側ディスプレイ内の互いに異なるエリアに表示する通信装置。
【請求項６】
請求項４または５に記載の通信装置において、
前記第１の通信網は携帯電話通信網であり、
前記通信制御手段は、前記通信データが前記携帯電話通信網専用に作成されたデータである場合は前記第１の通信手段を選択し、前記通信データがその他のデータである場合は前記第２の通信手段を選択する通信装置。
【請求項７】
請求項１から６のいずれか１項に記載の通信装置において、
前記出力手段は、
前記外部装置のディスプレイを表す画像を前記通信装置側ディスプレイに表示し、
前記第１の通信手段が取得した前記通信データを、前記外部装置のディスプレイを表す画像が表示されているエリアに表示し、
前記第２の通信手段が取得した前記通信データを、前記外部装置のディスプレイを表す画像が表示されているエリアと異なるエリアに表示する通信装置。
【請求項８】
コンピュータを、
第１の通信網で通信する外部装置を遠隔操作する遠隔操作手段、
前記外部装置の通信手段を遠隔操作し、前記外部装置を経由して通信する第１の通信手段、
前記遠隔操作手段が前記外部装置を遠隔操作中、前記外部装置を経由せずに、第２の通信網で通信する第２の通信手段、
前記第１の通信手段及び前記第２の通信手段が取得した通信データを、通信装置側ディスプレイに表示する出力手段、
として機能させ、
前記出力手段に、前記第１の通信手段が取得した前記通信データと、前記第２の通信手段が取得した前記通信データとを、前記通信装置側ディスプレイ内の互いに異なるエリアに表示させるためのプログラム。
【請求項９】
コンピュータを、
第１の通信網で通信する外部装置を遠隔操作する遠隔操作手段、
前記外部装置の通信手段を遠隔操作し、前記外部装置を経由して通信する第１の通信手段、
前記遠隔操作手段が前記外部装置を遠隔操作中、前記外部装置を経由せずに、第２の通信網で通信する第２の通信手段、
通信データを取得する指示入力を受付ける受付手段、
前記受付手段が受付けた前記通信データの属性を判断するデータ属性判断手段、
前記データ属性判断手段の判断結果に応じて、前記第１の通信手段および前記第２の通信手段のいずれかを選択し、選択した通信手段を制御して前記通信データを取得させる通信制御手段、
前記第１の通信手段または前記第２の通信手段が取得した前記通信データを、通信装置側ディスプレイに表示する出力手段、
として機能させ、
前記出力手段に、前記第１の通信手段が取得した前記通信データと、前記第２の通信手段が取得した前記通信データとを、前記通信装置側ディスプレイ内の互いに異なるエリアに表示させるためのプログラム。
【請求項１０】
第１の通信網で通信する外部装置を遠隔操作する遠隔操作手段と、前記外部装置の通信手段を遠隔操作し、前記外部装置を経由して通信する第１の通信手段と、前記遠隔操作手段が前記外部装置を遠隔操作中、前記外部装置を経由せずに、第２の通信網で通信する第２の通信手段と、を備えたコンピュータが、
前記第１の通信手段及び前記第２の通信手段が取得した通信データを、通信装置側ディスプレイに表示するステップを実行し、
前記表示するステップにおいて、前記第１の通信手段が取得した前記通信データと、前記第２の通信手段が取得した前記通信データとを、前記通信装置側ディスプレイ内の互いに異なるエリアに表示する通信方法。
【請求項１１】
第１の通信網で通信する外部装置を遠隔操作する遠隔操作手段と、前記外部装置の通信手段を遠隔操作し、前記外部装置を経由して通信する第１の通信手段と、前記遠隔操作手段が前記外部装置を遠隔操作中、前記外部装置を経由せずに、第２の通信網で通信する第２の通信手段と、を備えたコンピュータが、
通信データを取得する指示入力を受付ける第１のステップと、
前記第１のステップで受付けた前記通信データの属性を判断する第２のステップと、
前記第２のステップでの判断結果に応じて、前記第１の通信手段および前記第２の通信手段のいずれかを選択し、選択した通信手段を制御して前記通信データを取得させる第３のステップと、
前記第１の通信手段または前記第２の通信手段が取得した前記通信データを、通信装置側ディスプレイに表示する第４のステップと、
を実行し、
前記第４のステップにおいて、前記第１の通信手段が取得した前記通信データと、前記第２の通信手段が取得した前記通信データとを、前記通信装置側ディスプレイ内の互いに異なるエリアに表示する通信方法。
【発明の詳細な説明】
【技術分野】
【０００１】
本発明は、通信装置、通信方法及びプログラムに関する。
【背景技術】
【０００２】
パーソナルコンピュータ（ＰＣ）を操作して、携帯端末（携帯電話等）を遠隔操作する技術がある。かかる場合、ＰＣがインターネット上から通信データを取得する通信経路は、遠隔操作している携帯端末を経由して取得する経路と、ＰＣが直接インターネット上から取得する経路とが存在する。
【０００３】
なお、携帯端末を操作して、ＰＣを遠隔操作する技術もある。そして、かかる場合も同様に、携帯端末がインターネット上から通信データを取得する通信経路は、遠隔操作しているＰＣを経由して取得する経路と、携帯端末が直接インターネット上から取得する経路とが存在する。
【０００４】
ここで、特許文献１には、データレートに応じた通信状況を利用者に対して適切に報知することを課題とし、無線通信で用いるデータレートごとに、受信電波の受信電界強度とその通信状態を表示する表示パターンとの対応関係を示す表示パターン情報を予め記憶部に記憶しておき、ベースバンド回路の受信電界強度検出部で検出した受信電界強度と、ベースバンド回路の通信方式検出部で検出したデータレートに対応する表示パターンを表示パターン情報から取得して、この表示パターンに基づき通信状況に応じたアンテナピクトを表示する無線通信端末が開示されている。
【０００５】
特許文献２には、任意のネットワークに接続されたＰＣ、ＰＤＡ、携帯電話機あるいは専用端末を含む状態通知用端末と状態表示用端末の間で、個人や物に関する状態、状況、気持ちあるいは通信可能手段の状態情報を、サーバあるいは当該状態通知用端末に予め設定された通知先情報に従って、当該状態通知用端末から当該状態表示用端末に対して当該サーバを介して、あるいは介すことなく直接送受信する状態表示方法であって、当該状態通知用端末あるいは当該状態表示用端末の表示画面に、当該両端末の利用者もしくは当該状態通知用端末に関連付けられた物や動物に対応する任意の画像情報から構成されるプレゼンティティアイコンと、当該アイコンに対応する状態情報を、両者の対応関係が把握できるように隣接あるいは重畳させて配置し、表示することを特徴とする状態表示方法が開示されている。
【先行技術文献】
【特許文献】
【０００６】
【特許文献１】特開２００９−２４６８６２号公報
【特許文献２】特開２００４−１９２２９７号公報
【発明の概要】
【発明が解決しようとする課題】
【０００７】
本発明者は、上記遠隔操作に関する技術において、以下の課題を発見した。
【０００８】
上述のように、第１の装置を操作して第２の装置を遠隔操作中、第１の装置がインターネット上から通信データを取得する通信経路は２つ存在するが、第１の装置を操作しているユーザが、いずれの通信経路で通信しているのか容易に把握する手段がなかった。また、第１の装置を操作中に、好ましい通信経路に切り替えることは困難であった。
【０００９】
そこで、本発明では、上記問題を解決することを課題とする。
【課題を解決するための手段】
【００１０】
本発明によれば、第１の通信網で通信する外部装置を遠隔操作する遠隔操作手段と、前記外部装置の通信手段を遠隔操作し、前記外部装置を経由して通信する第１の通信手段と、前記遠隔操作手段が前記外部装置を遠隔操作中、前記外部装置を経由せずに、第２の通信網で通信する第２の通信手段と、前記第１の通信手段または前記第２の通信手段が取得した通信データを、当該通信データを取得した通信手段を識別する情報とともに、通信装置側ディスプレイに表示する出力手段と、を有する通信装置が提供される。
【００１１】
また、本発明によれば、第１の通信網で通信する外部装置を遠隔操作する遠隔操作手段と、前記外部装置の通信手段を遠隔操作し、前記外部装置を経由して通信する第１の通信手段と、前記遠隔操作手段が前記外部装置を遠隔操作中、前記外部装置を経由せずに、第２の通信網で通信する第２の通信手段と、前記通信データを取得する指示入力を受付ける受付手段と、前記受付手段が受付けた前記通信データの属性を判断するデータ属性判断手段と、前記データ属性判断手段の判断結果に応じて、前記第１の通信手段および前記第２の通信手段のいずれかを選択し、選択した通信手段を制御して前記通信データを取得させる通信制御手段と、前記第１の通信手段または前記第２の通信手段が取得した通信データを、通信装置側ディスプレイに表示する出力手段と、を有する通信装置が提供される。
【００１２】
また、本発明によれば、コンピュータを、第１の通信網で通信する外部装置を遠隔操作する遠隔操作手段、前記外部装置の通信手段を遠隔操作し、前記外部装置を経由して通信する第１の通信手段、前記遠隔操作手段が前記外部装置を遠隔操作中、前記外部装置を経由せずに、第２の通信網で通信する第２の通信手段、前記第１の通信手段または前記第２の通信手段が取得した通信データを、当該通信データを取得した通信手段を識別する情報とともに、通信装置側ディスプレイに表示する出力手段として機能させるためのプログラムが提供される。
【００１３】
また、本発明によれば、コンピュータを、第１の通信網で通信する外部装置を遠隔操作する遠隔操作手段、前記外部装置の通信手段を遠隔操作し、前記外部装置を経由して通信する第１の通信手段、前記遠隔操作手段が前記外部装置を遠隔操作中、前記外部装置を経由せずに、第２の通信網で通信する第２の通信手段、前記通信データを取得する指示入力を受付ける受付手段、前記受付手段が受付けた前記通信データの属性を判断するデータ属性判断手段、前記データ属性判断手段の判断結果に応じて、前記第１の通信手段および前記第２の通信手段のいずれかを選択し、選択した通信手段を制御して前記通信データを取得させる通信制御手段、前記第１の通信手段または前記第２の通信手段が取得した通信データを、通信装置側ディスプレイに表示する出力手段、として機能させるためのプログラムが提供される。
【００１４】
また、本発明によれば、第１の通信網で通信する外部装置を遠隔操作する遠隔操作手段と、前記外部装置の通信手段を遠隔操作し、前記外部装置を経由して通信する第１の通信手段と、前記遠隔操作手段が前記外部装置を遠隔操作中、前記外部装置を経由せずに、第２の通信網で通信する第２の通信手段と、を備えておき、前記第１の通信手段または前記第２の通信手段が取得した通信データを、当該通信データを取得した通信手段を識別する情報とともに、通信装置側ディスプレイに表示するステップをコンピュータが実行する通信方法が提供される。
【００１５】
また、本発明によれば、第１の通信網で通信する外部装置を遠隔操作する遠隔操作手段と、前記外部装置の通信手段を遠隔操作し、前記外部装置を経由して通信する第１の通信手段と、前記遠隔操作手段が前記外部装置を遠隔操作中、前記外部装置を経由せずに、第２の通信網で通信する第２の通信手段と、を備えておき、前記通信データを取得する指示入力を受付ける第１のステップと、前記第１のステップで受付けた前記通信データの属性を判断する第２のステップと、前記第２のステップでの判断結果に応じて、前記第１の通信手段および前記第２の通信手段のいずれかを選択し、選択した通信手段を制御して前記通信データを取得させる第３のステップと、前記第１の通信手段または前記第２の通信手段が取得した通信データを、通信装置側ディスプレイに表示する第４のステップと、をコンピュータが実行する通信方法が提供される。
【発明の効果】
【００１６】
本発明によれば、第１の装置を操作して第２の装置を遠隔操作中にインターネット上から取得した通信データが、どのような通信経路で取得されたものかを、ユーザが容易に把握可能となる。また、本発明によれば、インターネット上から取得する通信データに応じて好ましい通信経路を選択し、当該通信経路で通信することが可能となる。
【図面の簡単な説明】
【００１７】
【図１】本実施形態の通信装置の機能ブロック図の一例である。
【図２】本実施形態の通信装置のディスプレイに表示される画像の一例である。
【図３】本実施形態の通信装置のディスプレイに表示される画像の一例である。
【図４】本実施形態の通信装置の機能ブロック図の一例である。
【図５】本実施形態の通信装置の処理の流れの一例を示すフローチャートである。
【図６】本実施形態の通信装置の機能ブロック図の一例である。
【発明を実施するための形態】
【００１８】
以下、本発明の実施の形態について図面を用いて説明する。
【００１９】
なお、本実施形態の各部は、任意のコンピュータのＣＰＵ、メモリ、メモリにロードされたプログラム（あらかじめ機器を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェースを中心にハードウエアとソフトウエアの任意の組合せによって実現される。そして、その実現方法、機器にはいろいろな変形例があることは、当業者には理解されるところである。
【００２０】
また、本実施形態の説明において利用する機能ブロック図は、ハードウエア単位の構成ではなく、機能単位のブロックを示している。これらの図においては、本実施形態の各装置は１つの機器により実現されるよう記載されているが、その実現手段はこれに限定されない。すなわち、物理的に分かれた構成であっても、論理的に分かれた構成であっても構わない。
【００２１】
＜第１の実施形態＞
図１に本実施形態の通信装置１の機能ブロック図の一例を示す。なお、図１には、通信装置１を介して遠隔操作する対象の外部装置２と、通信装置１及び外部装置２が接続するインターネット１００とが記載されている。
【００２２】
通信装置１は、例えばＰＣや、携帯電話等の携帯端末（以下、単に「携帯端末」という）などが該当する。外部装置２は、通信装置１とは異なる通信網でインターネット１００に接続する通信手段を備えた装置であり、例えば、通信装置１がＰＣの場合は携帯端末であってもよく、また、通信装置１が携帯端末の場合はＰＣであってもよい。以下では、通信装置１はＰＣであり、外部装置２は携帯端末として説明する。
【００２３】
図１に示すように、通信装置１は、遠隔操作部１０と、第１の通信部２０と、第２の通信部３０と、出力部４０と、識別情報記憶部５０と、を有する。以下、各部について説明する。
【００２４】
遠隔操作部１０は、外部装置２を遠隔操作できるように構成されている。例えば、遠隔操作部１０はＬＡＮを介して外部装置２と接続し、ユーザの指示入力に従い、外部装置２を遠隔操作する。なお、遠隔操作を実現する手段は従来技術に準じて実現できるので、ここでの説明は省略する。
【００２５】
第１の通信部２０は、外部装置２の通信手段を遠隔操作し、外部装置２を経由して通信する。すなわち、第１の通信部２０は、外部装置２に所定の通信データをインターネット１００上から取得させ、外部装置２が取得した当該通信データを、当該外部装置２から取得する。なお、本実施形態の場合、外部装置２は、携帯端末専用の通信網を含む第１の通信網を介して通信する。すなわち、第１の通信部２０が取得する通信データは、第１の通信網を介して取得されたものとなる。
【００２６】
第２の通信部３０は、遠隔操作部１０が外部装置２を遠隔操作中、外部装置２を経由せずに、第２の通信網で通信する。「遠隔操作部１０が外部装置２を遠隔操作中」とは、外部装置２と遠隔操作部１０とが例えばＬＡＮ等を介して接続するとともに、遠隔操作のためのプログラムを起動等することで、遠隔操作可能な状態になっていることを意味する。すなわち、実際に何らかの遠隔操作が行われているか否かは関係ない。当該前提は、以下も同様である。第２の通信網は、第１の通信網とは異なる通信網であり、本実施形態においては、携帯端末専用の通信網を含まない通信網とすることができる。
【００２７】
出力部４０は、第１の通信部２０または第２の通信部３０が取得した通信データを、当該通信データを取得した通信手段を識別する情報とともに、通信装置１が備えるディスプレイ（以下、「通信装置側ディスプレイ」という）に表示する。通信データの内容は、インターネット上で取得可能なものであれば特段制限されないが、例えば、ホームページ等のＨＴＭＬ文書を含んでもよい。以下、出力部４０が実現する通信装置側ディスプレイ上での表示内容の一例を説明する。
【００２８】
例えば、出力部４０は、遠隔操作部１０が外部装置２を遠隔操作中、外部装置２が有するディスプレイ（以下、「外部装置側ディスプレイ」という）に表示されるべき画面を、通信装置側ディスプレイに表示する。具体的には、出力部４０は、図２に示すような画像を通信装置側ディスプレイに表示してもよい。図２に示す例では、外部装置側ディスプレイを含む外部装置２の平面画像が表示され、当該画像に含まれる外部装置側ディスプレイ内に、外部装置側ディスプレイに表示されるべき画面が表示されている。外部装置側ディスプレイに表示されるべき画面には、第１の通信網での通信状況を示すアイコン２０１が表示されている。なお、出力部４０は、外部装置側ディスプレイに表示されるべき画面のみを表示してもよい。
【００２９】
出力部４０は、例えば図２に示すような画像を通信装置側ディスプレイに表示中、第１の通信部２０が通信データを取得すると、取得した通信データを通信装置側ディスプレイに表示するとともに、アイコン２０１の表示内容を、表示中の通信データは第１の通信部２０が取得したものであることを識別するものに変更してもよい。また、出力部４０は、第２の通信部３０が通信データを取得すると、取得した通信データを通信装置側ディスプレイに表示するとともに、アイコン２０１の表示内容を、表示中の通信データは第２の通信部３０が取得したものであることを識別するものに変更してもよい。さらに、出力部４０は、通信データを通信装置側ディスプレイに表示していない間は、アイコン２０１の表示内容を、第１の通信部２０を識別するもの、および、第２の通信部３０を識別するものとは異なるものに変更してもよい。
【００３０】
上述のようなアイコン２０１の表示内容は特段制限されないが、図３に一例を示す。アイコン４０１は第１の通信部２０を識別するものであり、アイコン４０２は第２の通信部３０を識別するものであり、アイコン４０３は通信データを表示していない間に表示されるものである。表示の手法としては、例えば、このようなアイコン４０１乃至４０３のいずれか１つのみを選択的に、アイコン２０１が表示されている位置に表示する手法や、３つすべてを並列的に表示しておき、１つのアイコンのみを強調表示（設計的事項）する手法などが考えられる。
【００３１】
現在、携帯端末の通信状況は図２のアイコン２０１のような画像で示すのが一般的であり、ユーザもこのようなアイコン２０１は通信状況を示すものであるという強いイメージをもっていると考えられる。そこで、通信装置側ディスプレイに、外部装置側ディスプレイに表示されるべき画面を表示するとともに、アイコン２０１の表示位置に、通信経路を識別する例えば図３のアイコン４０１乃至４０３を表示すれば、ユーザは容易に通信状況を示す情報に辿りつくことができる。なお、通信装置側ディスプレイに、図２に示すような、外部装置側ディスプレイを含む外部装置２全体の平面画像を表示することで、ユーザは、より直感的に、通信経路を識別する情報の表示位置に辿りつくことができる。そして、アイコンの表示内容により、ユーザは、表示中の通信データの取得経路を把握することができる。
【００３２】
通信装置１は、上述のような表示画面を実現するためのデータを識別情報記憶部５０に記憶させておく。すなわち、識別情報記憶部５０は、図２に示す外部装置２の平面画像のデータや、図３に示すアイコンのデータを保持しておいてもよい。
【００３３】
なお、出力部４０による上記表示例はあくまで一例であり、その他、以下のような表示例も考えられる。
【００３４】
例えば、出力部４０は、遠隔操作部１０が外部装置２を遠隔操作中、外部装置側ディスプレイに表示されるべき画面を、通信装置側ディスプレイに表示しておく（例：図２）。そして、第１の通信部２０が通信データを取得した場合には、出力部４０は、当該通信データを、通信装置側ディスプレイに表示されている外部装置側ディスプレイの画面内に表示してもよい。これに対し、第２の通信部３０が通信データを取得した場合には、当該通信データを、通信装置側ディスプレイに表示されている外部装置側ディスプレイの画面内と異なる位置に表示してもよい。かかる場合、ユーザは、通信データの表示位置により、表示中の通信データの取得経路を把握することができる。また、外部装置２を経由して取得した通信データを、通信装置側ディスプレイに表示された外部装置２の画像にはめ込んで表示することで（例：外部装置側ディスプレイにはめ込んで表示）、ユーザはより直感的に、表示されている通信データが外部装置２を経由して取得されたものであることを把握することができる。
【００３５】
なお、通信データが第１の通信部２０及び第２の通信部３０いずれによって取得されたものか判断する手段は特段制限されず、例えば、通信データに含まれる送信元を示す情報に基づいて判断してもよい。
【００３６】
本実施形態によれば、通信装置１を操作しているユーザは、通信装置側ディスプレイに表示されている通信データがどのような通信経路で取得されたものかを、直感的に容易に把握することが可能となる。なお、通信装置１が携帯端末であり、外部装置２がＰＣである場合も、上記に準じて出力部４０による表示内容を適当に変更することで、同様の作用効果を実現することができる。
【００３７】
本実施形態の通信装置１は、以下のプログラムをコンピュータにインストールすることで、実現することができる。
【００３８】
コンピュータを、
第１の通信網で通信する外部装置を遠隔操作する遠隔操作手段、
前記外部装置の通信手段を遠隔操作し、前記外部装置を経由して通信する第１の通信手段、
前記遠隔操作手段が前記外部装置を遠隔操作中、前記外部装置を経由せずに、第２の通信網で通信する第２の通信手段、
前記第１の通信手段または前記第２の通信手段が取得した通信データを、当該通信データを取得した通信手段を識別する情報とともに、通信装置側ディスプレイに表示する出力手段として機能させるためのプログラム。
【００３９】
なお、上記説明によれば、以下の通信方法の説明もなされている。
【００４０】
第１の通信網で通信する外部装置を遠隔操作する遠隔操作手段と、前記外部装置の通信手段を遠隔操作し、前記外部装置を経由して通信する第１の通信手段と、前記遠隔操作手段が前記外部装置を遠隔操作中、前記外部装置を経由せずに、第２の通信網で通信する第２の通信手段と、を備えておき、
前記第１の通信手段または前記第２の通信手段が取得した通信データを、当該通信データを取得した通信手段を識別する情報とともに、通信装置側ディスプレイに表示するステップをコンピュータが実行する通信方法。
【００４１】
＜第２の実施形態＞
図４に本実施形態の通信装置１の機能ブロック図の一例を示す。なお、図４には、通信装置１を介して遠隔操作する対象の外部装置２と、通信装置１及び外部装置２が接続するインターネット１００とが記載されている。以下では、通信装置１はＰＣであり、外部装置２は携帯端末とする。
【００４２】
図４に示すように、通信装置１は、遠隔操作部１０と、第１の通信部２０と、第２の通信部３０と、出力部４０と、受付部６０と、データ属性判断部７０と、通信制御部８０と、を有する。すなわち、本実施形態の通信装置１は、識別情報記憶部５０を有さず、受付部６０、データ属性判断部７０及び通信制御部８０を有する点で、第１の実施形態の通信装置１と異なる。以下では相違点のみを説明し、共通点の説明は省略する。
【００４３】
受付部６０は、通信データを取得する指示入力を受付ける。例えば、受付部６０は、通信装置１にインストールされているプログラム（Ｗｅｂブラウザ等）上で、通信データを取得する指示入力を受付けてもよい。その他、受付部６０は、遠隔操作部１０が遠隔操作している外部装置２にインストールされているプログラム（Ｗｅｂブラウザ等）上で、通信データを取得する指示入力を受付けてもよい。いずれの場合も、ユーザ操作は通信装置１側で行うことができる。なお、受付部６０は、指示入力とともに、通信データが記憶されているインターネット上の位置を示す情報（ＵＲＬ等）をも取得する。
【００４４】
データ属性判断部７０は、受付部６０が取得するよう受付けた通信データの属性を判断する。例えば、データ属性判断部７０は、受付部６０から、通信データが記憶されているインターネット上の位置を示す情報（ＵＲＬ等）を取得し、当該情報を基に、取得する通信データが携帯端末専用に作成された通信データであるか否かを判断してもよい。なお、これはあくまで一例であり、データ属性判断部７０は、従来技術を利用して、その他の属性を判断することもできる。
【００４５】
通信制御部８０は、データ属性判断部７０の判断結果に応じて、第１の通信部２０及び第２の通信部３０のいずれかを選択し、選択した通信部を制御して通信データを取得させる。
【００４６】
例えば、データ属性判断部７０が、取得する通信データは携帯端末専用に作成された通信データであると判断した場合、通信制御部８０は、携帯端末専用の通信網で通信する第１の通信部２０を選択する。一方、データ属性判断部７０が、取得する通信データは携帯端末専用に作成された通信データでないと判断した場合、通信制御部８０は、携帯端末専用の通信網を含まない通信網で通信する第２の通信部３０を選択する。
【００４７】
本実施形態の通信装置１は、以下のプログラムをコンピュータにインストールすることで、実現することができる。
【００４８】
コンピュータを、
第１の通信網で通信する外部装置を遠隔操作する遠隔操作手段、
前記外部装置の通信手段を遠隔操作し、前記外部装置を経由して通信する第１の通信手段、
前記遠隔操作手段が前記外部装置を遠隔操作中、前記外部装置を経由せずに、第２の通信網で通信する第２の通信手段、
前記通信データを取得する指示入力を受付ける受付手段、
前記受付手段が受付けた前記通信データの属性を判断するデータ属性判断手段、
前記データ属性判断手段の判断結果に応じて、前記第１の通信手段および前記第２の通信手段のいずれかを選択し、選択した通信手段を制御して前記通信データを取得させる通信制御手段、
前記第１の通信手段または前記第２の通信手段が取得した通信データを、通信装置側ディスプレイに表示する出力手段、
として機能させるためのプログラム。
【００４９】
次に、図５のフローチャートを用いて、本実施形態の通信装置１の処理の流れの一例を説明する。
【００５０】
まず、受付部６０が通信データを取得する指示入力を受付ける（Ｓ１０：第１のステップ）。この時、受付部６０は、当該通信データが記憶されているインターネット上の位置を示す情報（ＵＲＬ等）を併せて取得する。
【００５１】
次に、データ属性判断部７０が、Ｓ１０で受付部６０が取得する指示を受付けた通信データの属性を判断する（Ｓ２０：第２のステップ）。
【００５２】
次に、通信制御部８０が、Ｓ２０におけるデータ属性判断部７０の判断結果に応じて、第１の通信部２０および第２の通信部３０のいずれかを選択し、選択した通信部を制御して通信データを取得させる（Ｓ３０：第３のステップ）。
【００５３】
その後、出力部４０は、Ｓ３０で第１の通信部２０または第２の通信部３０が取得した通信データを、通信装置側ディスプレイに表示する（Ｓ４０：第４のステップ）。
【００５４】
このような本実施形態の通信装置によれば、取得する通信データに応じて、自動で好ましい通信経路を選択し、選択した通信経路で通信データを取得することが可能となる。かかる場合、ユーザが通信経路を切り替える等の面倒な操作を行わなくても、適切な通信経路で通信データを取得することが可能となる。結果、ユーザの利便性を向上させることができる。なお、通信装置１が携帯端末であり、外部装置２がＰＣである場合も同様の作用効果を実現することができる。
【００５５】
＜第３の実施形態＞
図６に本実施形態の通信装置１の機能ブロック図の一例を示す。なお、図６には、通信装置１を介して遠隔操作する対象の外部装置２と、通信装置１及び外部装置２が接続するインターネット１００とが記載されている。
【００５６】
図６に示すように、通信装置１は、遠隔操作部１０と、第１の通信部２０と、第２の通信部３０と、出力部４０と、識別情報記憶部５０と、受付部６０と、データ属性判断部７０と、通信制御部８０と、を有する。
【００５７】
このような本実施形態の通信装置１によれば、第１の実施形態と第２の実施形態を組み合わせた通信装置１を実現することができる。そして、第１の実施形態及び第２の実施形態と同様の作用効果を実現することができる。
以下、参考形態の例を付記する。
１．  第１の通信網で通信する外部装置を遠隔操作する遠隔操作手段と、
前記外部装置の通信手段を遠隔操作し、前記外部装置を経由して通信する第１の通信手段と、
前記遠隔操作手段が前記外部装置を遠隔操作中、前記外部装置を経由せずに、第２の通信網で通信する第２の通信手段と、
前記第１の通信手段または前記第２の通信手段が取得した通信データを、当該通信データを取得した通信手段を識別する情報とともに、通信装置側ディスプレイに表示する出力手段と、を有する通信装置。
２．  １に記載の通信装置において、
前記外部装置は、前記第１の通信網での通信状況を示すアイコンを含む画面を外部装置側ディスプレイに表示するよう構成され、
前記出力手段は、
前記遠隔操作手段が前記外部装置を遠隔操作中、前記外部装置側ディスプレイに表示されるべき前記画面を前記外部装置から取得して、前記通信装置側ディスプレイに表示し、
前記外部装置側ディスプレイに前記通信データを表示している間、前記アイコンの表示内容を、前記通信データを取得した通信手段を識別する内容にする通信装置。
３．  ２に記載の通信装置において、
前記出力手段は、前記遠隔操作手段が前記外部装置を遠隔操作中であって、前記外部装置側ディスプレイに前記通信データを表示していない間は、前記アイコンの表示内容を、前記第１及び第２の通信手段を識別する内容と異なる内容にする通信装置。
４．  １から３のいずれかに記載の通信装置において、
前記通信データを取得する指示入力を受付ける受付手段と、
前記受付手段が受付けた前記通信データの属性を判断するデータ属性判断手段と、
前記データ属性判断手段の判断結果に応じて、前記第１の通信手段および前記第２の通信手段のいずれかを選択し、選択した通信手段を制御して前記通信データを取得させる通信制御手段と、
をさらに有する通信装置。
５．  第１の通信網で通信する外部装置を遠隔操作する遠隔操作手段と、
前記外部装置の通信手段を遠隔操作し、前記外部装置を経由して通信する第１の通信手段と、
前記遠隔操作手段が前記外部装置を遠隔操作中、前記外部装置を経由せずに、第２の通信網で通信する第２の通信手段と、
前記通信データを取得する指示入力を受付ける受付手段と、
前記受付手段が受付けた前記通信データの属性を判断するデータ属性判断手段と、
前記データ属性判断手段の判断結果に応じて、前記第１の通信手段および前記第２の通信手段のいずれかを選択し、選択した通信手段を制御して前記通信データを取得させる通信制御手段と、
前記第１の通信手段または前記第２の通信手段が取得した通信データを、通信装置側ディスプレイに表示する出力手段と、
を有する通信装置。
６．  ４または５に記載の通信装置において、
前記第１の通信網は携帯電話通信網であり、
前記通信制御手段は、前記通信データが前記携帯電話通信網専用に作成されたデータである場合は前記第１の通信手段を選択し、前記通信データがその他のデータである場合は前記第２の通信手段を選択する通信装置。
７．  コンピュータを、
第１の通信網で通信する外部装置を遠隔操作する遠隔操作手段、
前記外部装置の通信手段を遠隔操作し、前記外部装置を経由して通信する第１の通信手段、
前記遠隔操作手段が前記外部装置を遠隔操作中、前記外部装置を経由せずに、第２の通信網で通信する第２の通信手段、
前記第１の通信手段または前記第２の通信手段が取得した通信データを、当該通信データを取得した通信手段を識別する情報とともに、通信装置側ディスプレイに表示する出力手段として機能させるためのプログラム。
８．  コンピュータを、
第１の通信網で通信する外部装置を遠隔操作する遠隔操作手段、
前記外部装置の通信手段を遠隔操作し、前記外部装置を経由して通信する第１の通信手段、
前記遠隔操作手段が前記外部装置を遠隔操作中、前記外部装置を経由せずに、第２の通信網で通信する第２の通信手段、
前記通信データを取得する指示入力を受付ける受付手段、
前記受付手段が受付けた前記通信データの属性を判断するデータ属性判断手段、
前記データ属性判断手段の判断結果に応じて、前記第１の通信手段および前記第２の通信手段のいずれかを選択し、選択した通信手段を制御して前記通信データを取得させる通信制御手段、
前記第１の通信手段または前記第２の通信手段が取得した通信データを、通信装置側ディスプレイに表示する出力手段、
として機能させるためのプログラム。
９．  第１の通信網で通信する外部装置を遠隔操作する遠隔操作手段と、前記外部装置の通信手段を遠隔操作し、前記外部装置を経由して通信する第１の通信手段と、前記遠隔操作手段が前記外部装置を遠隔操作中、前記外部装置を経由せずに、第２の通信網で通信する第２の通信手段と、を備えておき、
前記第１の通信手段または前記第２の通信手段が取得した通信データを、当該通信データを取得した通信手段を識別する情報とともに、通信装置側ディスプレイに表示するステップをコンピュータが実行する通信方法。
１０．  第１の通信網で通信する外部装置を遠隔操作する遠隔操作手段と、前記外部装置の通信手段を遠隔操作し、前記外部装置を経由して通信する第１の通信手段と、前記遠隔操作手段が前記外部装置を遠隔操作中、前記外部装置を経由せずに、第２の通信網で通信する第２の通信手段と、を備えておき、
前記通信データを取得する指示入力を受付ける第１のステップと、
前記第１のステップで受付けた前記通信データの属性を判断する第２のステップと、
前記第２のステップでの判断結果に応じて、前記第１の通信手段および前記第２の通信手段のいずれかを選択し、選択した通信手段を制御して前記通信データを取得させる第３のステップと、
前記第１の通信手段または前記第２の通信手段が取得した通信データを、通信装置側ディスプレイに表示する第４のステップと、
をコンピュータが実行する通信方法。
【符号の説明】
【００５８】
１      通信装置
２      外部装置
１０    遠隔操作部
２０    第１の通信部
３０    第２の通信部
４０    出力部
５０    識別情報記憶部
６０    受付部
７０    データ属性判断部
８０    通信制御部
１００  インターネット
２０１  アイコン
４０１  アイコン
４０２  アイコン
４０３  アイコン
【図１】
0005676330.tif 000002
【図２】
0005676330.tif 000003
【図３】
0005676330.tif 000004
【図４】
0005676330.tif 000005
【図５】
0005676330.tif 000006
【図６】
0005676330.tif 000007